(57)【要約】【課題】コジェネシステム設置用基礎の施工期間を短縮すること。【解決手段】コジェネシステム設置用基礎ユニット１０であって、発電設備２０と温水器３０を設置可能にするとともに、発電設備２０と温水器３０のための配管をプレ配管１２Ａ、１２Ｂとして予め備えてなるもの。【選択図】  図２
2004156301.tif 000002
【特許請求の範囲】
【請求項１】
発電設備と温水器を設置可能にするとともに、発電設備と温水器のための配管をプレ配管として予め備えてなるコジェネシステム設置用基礎ユニット。
【請求項２】
前記発電設備と温水器を固定するためのアンカーボルト、又はアンカーボルト用のボルト孔を有する請求項１に記載のコジェネシステム設置用基礎ユニット。
【請求項３】
前記発電設備と温水器のための設置面の水平レベルを調節するアジャストボルトを有する請求項１又は２に記載のコジェネシステム設置用基礎ユニット。
【発明の詳細な説明】
【０００１】
【発明の属する技術分野】
本発明は、コジェネシステム設置用基礎ユニットに関する。
【０００２】
【従来の技術】
電気温水器等の貯湯槽は満水時に４００ｋｇ〜５００ｋｇの大重量になるため、これを住宅に設置するときには、大重量に耐えるコンクリート等で基礎工事を行なう必要がある。その基礎工事は現地でコンクリートを作り、型に流し込むものになり、基礎工事から貯湯槽への配管工事までの工事期間は長期間になる。
【０００３】
特許文献に１に記載の温水器設置用基礎ブロックは、少なくとも２分割された上部プレハブブロックと下部プレハブブロックを互いの接合面が直交する方向に積み重ね、上下部のプレハブブロックをボルトで接合一体化してなる温水器設置用基礎ブロックであり、下部プレハブブロックの外形よりも大きい孔を地面に掘削し、該孔内の中心にアース線、電気配管を敷設した後、この孔内に上下プレハブブロックを設置するものである。
【０００４】
【特許文献１】
特開平１１−５０４７０（３頁、図８〜図１９）
【０００５】
【発明が解決しようとする課題】
特許文献１に記載の基礎ブロックは、電気温水器等単体で使用する場合にはその優れた効果を実感できると思うが、発電設備と発電した際に得られる排熱を利用した温水器を併せ持つコジェネシステムにおいては、発電設備と排熱を利用した温水器それぞれに同様の基礎工事を行なうことになる。また、発電設備と温水器との温水循環経路に関わる配管工事も発生することになり、工事期間は電気温水器等単体の場合の倍近くになると考えられる。
【０００６】
本発明の課題は、コジェネシステム設置用基礎の施工期間を短縮することにある。
【０００７】
【課題を解決するための手段】
請求項１の発明は、発電設備と温水器を設置可能にするとともに、発電設備と温水器のための配管をプレ配管として予め備えてなるコジェネシステム設置用基礎ユニットである。ここで、プレ配管は１本以上設けられていれば良い。
【０００８】
請求項２の発明は、請求項１の発明において更に、前記発電設備と温水器を固定するためのアンカーボルト、又はアンカーボルト用のボルト孔を有するようにしたものである。
【０００９】
請求項３の発明は、請求項１又は２の発明において更に、前記発電設備と温水器のための設置面の水平レベルを調節するアジャストボルトを有するようにしたものである。
【００１０】
【作用】
請求項１の発明によれば下記▲１▼〜▲５▼の作用がある。
▲１▼発電設備と温水器を併せ設置できる基礎を基礎ユニットとしてユニット化したから、基礎ユニットを現地の地面に運んで据付けるだけで基礎を施工でき、現地での工事期間を短縮できる。
【００１１】
▲２▼発電設備と温水器のための配管をプレ配管して備えるから、現地での配管工事も削減できる。
【００１２】
▲３▼プレ配管をフレキシブル配管にする場合には、基礎ユニットにおける発電設備と温水器の設置位置の調整が可能になる。
【００１３】
▲４▼基礎ユニットを上面板と外周（例えば４面）の側板とを備える鋼板製の箱状体とすることにより、地面に支持される外周の側板で発電設備と温水器の重量を支え、該箱状体の内部に空間があっても十分な強度を確保できる。
【００１４】
▲５▼基礎ユニットを上述▲４▼の鋼板製箱状体とすることにより、コンクリート基礎に比べて加工性に優れ、該箱状体の内部に発電設備と温水器のための配管経路を作ることもできる。また、箱状体の内部に断熱材を詰めることにより、該箱状体の内部を通る配管に対し、凍結防止を図ることができる。
【００１５】
請求項２の発明によれば下記▲６▼の作用がある。
▲６▼基礎ユニットの設置面に配置した発電設備と温水器を基礎ユニットに設けてあるアンカーボルト、又はアンカーボルト用のボルト孔を用いて簡易に固定できる。アンカーボルトの位置、又はボルト孔の位置を変更することで、発電設備と温水器のレイアウトを変更することもできる。
【００１６】
請求項３の発明によれば下記▲７▼の作用がある。
▲７▼基礎ユニットが発電設備と温水器のための設置面の水平レベルを調節するアジャストボルトを有するから、地面に設置されたコジェネシステムの安定性、耐震性を確保できる。
【００１７】
【発明の実施の形態】
図１は基礎ユニットを示す斜視図、図２は基礎ユニットへの発電設備と温水器の据付状態を示す斜視図、図３はアジャストボルトを示す側面図、  図４はアンカーボルトによる発電設備の固定状態を示す斜視図、図５はアンカーボルトによる発電設備の固定状態の変形例を示す斜視図である。
【００１８】
コジェネシステム設置用基礎ユニット１０は、図１、図２に示す如く、鋼板等の金属板の折り曲げ加工等により形成された直方体等の箱状体１１からなる。箱状体１１は、上面板１１Ａと、外周４面の側板１１Ｂ〜１１Ｅを有し、上面板１１Ａはシステム全体を設置できる広さをもち、発電設備２０と温水器３０を設置可能にする。箱状体１１は、本実施形態においては、底板を有さない（但し、底板を有しても可）。
【００１９】
基礎ユニット１０は、箱状体１１の内部に発電設備２０と温水器２０のための配管経路を作ることができるし、箱状体１１の内部に配管のための断熱材を詰めることができる。
【００２０】
基礎ユニット１０は、箱状体１１の内部に、発電設備２０と温水器３０を接続して温水循環経路を構成するための少なくとも２本の配管をプレ配管１２Ａ、１２Ｂとして予め備える。プレ配管１２Ａ、１２Ｂはフレキシブル配管とすることができる。プレ配管１２Ａ、１２Ｂの中央部は、箱状体１１の内部に配置され、両端部のみ外部に引き出している。これにより、プレ配管１２Ａ、１２Ｂからの放熱を抑えたり、紫外線による劣化を防いだりすることができる。
【００２１】
基礎ユニット１０は、図４に示す如く、発電設備２０と温水器３０を固定するためのアンカーボルト用の複数のボルト孔１３を上面板１１Ａに有する。図４において、２１は発電設備２０に設けた固定プレート、２２はアンカーボルトであり、発電設備２０の固定プレート２１に形成してある挿通孔に挿通したアンカーボルト２２がボルト孔１３に螺着されて発電設備２０を基礎ユニット１０に固定するものになる。
【００２２】
基礎ユニット１０は、図３に示す如く、発電設備２０と温水器３０のための設置面になる上面板１１Ａの水平レベルを調節するアジャストボルト１４を有する。アジャストボルト１４は、基礎ユニット１０の箱状体１１の４隅に設けた螺着部１５に螺着され、下端部に脚部１４Ａを備え、ロックナットを併せ備えても良い。
【００２３】
基礎ユニット１０の施工例は以下の通りになる。
（１）コジェネシステムが設置される現地の地面１に基礎ユニット１０を置き、箱状体１１の４隅のアジャストボルト１４を用いて、発電設備２０と温水器３０のための設置面となる上面板１１Ａの水平レベルを調整する。
【００２４】
（２）基礎ユニット１０の上面板１１Ａに発電設備２０と温水器３０を配置し、上面板１１Ａに設けたボルト孔１３を用いて、アンカーボルト２２により発電設備２０、温水器３０を上面板１１Ａに固定する。
【００２５】
（３）基礎ユニット１０に内蔵してあるプレ配管１２Ａ、１２Ｂを、発電設備２０と温水器３０の温水巡回経路を構成する接続口に接続する。引き続き、発電設備２０への燃料供給配管、電気配線等の配管・配線作業を行なうとともに、温水器３０と水道管との配管、温水器３０と給湯管との配管、温水器３０への燃料供給配管、電気配線等の配管・配線作業を行なう。
【００２６】
本実施形態によれば以下の作用がある。
▲１▼発電設備２０と温水器３０を併せ設置できる基礎を基礎ユニット１０としてユニット化したから、基礎ユニット１０を現地の地面１に運んで据付けるだけで基礎を施工でき、現地での工事期間を短縮できる。
【００２７】
▲２▼発電設備２０と温水器３０のための配管をプレ配管１２Ａ、１２Ｂして備えるから、現地での配管工事も削減できる。
【００２８】
▲３▼プレ配管１２Ａ、１２Ｂをフレキシブル配管にする場合には、基礎ユニット１０における発電設備２０と温水器３０の設置位置の調整が可能になる。
【００２９】
▲４▼基礎ユニット１０を上面板１１Ａと外周（例えば４面）の側板１１Ｂ〜１１Ｅとを備える鋼板製の箱状体１１とすることにより、地面１に支持される外周の側板１１Ｂ〜１１Ｅで発電設備２０と温水器３０の重量を支え、該箱状体１１の内部に空間があっても十分な強度を確保できる。
【００３０】
▲５▼基礎ユニット１０を上述▲４▼の鋼板製箱状体１１とすることにより、コンクリート基礎に比べて加工性に優れ、該箱状体１１の内部に発電設備２０と温水器３０のための配管経路を作ることもできる。また、箱状体１１の内部に断熱材を詰めることにより、該箱状体１１の内部を通る配管に対し、凍結防止を図ることができる。
【００３１】
▲６▼基礎ユニット１０の設置面に配置した発電設備２０と温水器３０を基礎ユニット１０に設けてあるアンカーボルト用のボルト孔１３を用いて簡易に固定できる。ボルト孔１３の位置を変更することで、発電設備２０と温水器３０のレイアウトを変更することもできる。
【００３２】
▲７▼基礎ユニット１０が発電設備２０と温水器３０のための設置面の水平レベルを調節するアジャストボルト１４を有するから、地面１に設置されたコジェネシステムの安定性、耐震性を確保できる。
【００３３】
図５は、本発明の変形例であり、発電設備２０（又は温水器３０）を固定するためのアンカーボルト２２を箱状体１１の上面板１１Ａに予め植設し、発電設備２０（又は温水器３０）に設けた固定プレート２１に形成された挿通孔をこのアンカーボルト２２に挿通する。このアンカーボルト２２にナット２３を螺着することにより、発電設備２０（又は温水器３０）を基礎ユニット１０に固定する。この変形例による場合にも、基礎ユニット１０の設置面に配置した発電設備２０（又は温水器３０）を基礎ユニット１０に設けてあるアンカーボルト２２を用いて簡易に固定できる。アンカーボルト２２の位置を変更することで、発電設備２０（又は温水器３０）のレイアウトを変更することもできる。
【００３４】
以上、本発明の実施の形態を図面により詳述したが、本発明の具体的な構成はこの実施の形態に限られるものではなく、本発明の要旨を逸脱しない範囲の設計の変更等があっても本発明に含まれる。
【００３５】
【発明の効果】
本発明によれば、コジェネシステム設置用基礎の施工期間を短縮することができる。
【図面の簡単な説明】
【図１】図１は基礎ユニットを示す斜視図である。
【図２】図２は基礎ユニットへの発電設備と温水器の据付状態を示す斜視図である。
【図３】図３はアジャストボルトを示す側面図である。
【図４】図４はアンカーボルトによる発電設備の固定状態を示す斜視図である。
【図５】図５はアンカーボルトによる発電設備の固定状態の変形例を示す斜視図である。
【符号の説明】
１０  基礎ユニット
１２Ａ、１２Ｂ  プレ配管
１３  ボルト孔
１４  アジャストボルト
２０  発電設備
２２  アンカーボルト
３０  温水器
【図１】
2004156301.tif 000003
【図２】
2004156301.tif 000004
【図３】
2004156301.tif 000005
【図４】
2004156301.tif 000006
【図５】
2004156301.tif 000007